(57)【要約】【課題】より高い洗浄力を発揮するパルセータを具えた洗濯機を提供する。【解決手段】パルセータ４を、平坦な基盤面４ａを基準として、該基盤面４ａに複数の凹部４ｂを周方向に配列して形成し、この凹部４ｂの内底面から上方に向けて羽根山４ｃを突設して構成した。【選択図】図１
2013202320.tif 000002
【特許請求の範囲】
【請求項１】
洗濯槽と、
この洗濯槽の内下部に配設したパルセータと、
このパルセータを回転駆動する駆動装置とを具備し、
前記洗濯槽の内部に洗濯物を洗濯水と共に収容し、前記パルセータを回転駆動することにより、前記洗濯物を洗濯水と共に撹拌して洗濯をするようにした洗濯機において、
前記パルセータを、平坦な基盤面を基準として、該基盤面に複数の凹部を周方向に配列して形成し、この凹部の内底面から上方に向けて羽根山を突設して構成したことを特徴とする洗濯機。
【請求項２】
パルセータの羽根山が、凹部の内底面からのみ突設されていることを特徴とする請求項１記載の洗濯機。
【請求項３】
パルセータが正逆両方向に回転されるものであって、パルセータの羽根山の回転方向両側面部の傾斜角が、ほゞ同一となっていることを特徴とする請求項１又は２記載の洗濯機。
【請求項４】
パルセータの羽根山の中心側面部の傾斜角と、同羽根山の外周側面部の傾斜角とが異なっていることを特徴とする請求項１ないし３のいずれかに記載の洗濯機。
【請求項５】
パルセータが正逆両方向に回転されるものであって、パルセータの羽根山が上方より見て放射曲線状を成していることを特徴とする請求項１ないし４のいずれかに記載の洗濯機。
【請求項６】
パルセータの中央部に、羽根山と連ならない独立した突起部を有することを特徴とする請求項１ないし５のいずれかに記載の洗濯機。
【請求項７】
パルセータの中央部の突起部の外面部に、くぼみ部を有することを特徴とする請求項６記載の洗濯機。
【発明の詳細な説明】
【技術分野】
【０００１】
本発明の実施形態は洗濯機に関する。
【背景技術】
【０００２】
従来より、洗濯機においては、洗濯槽の内下部にパルセータを配設し、このパルセータを回転駆動することにより、洗濯物を洗濯水と共に撹拌して洗濯をするようにしたものが供されている。このものの場合、パルセータは、例えば、平坦な基盤面を基準として、該基盤面（平坦面）から放射状に羽根山を突設して成るものであり（例えば特許文献１参照）、あるいは、凹曲面が無端環状に連続する基盤面を基準として、該基盤面（凹曲面）から放射状に羽根山を突設して成るものであって（例えば特許文献２参照）、ともにその羽根山により洗濯物を洗濯水と共に撹拌するようになっている。
【先行技術文献】
【特許文献】
【０００３】
【特許文献１】特開２０００−１５７７７５号公報
【特許文献２】特開２００４−３２１６２９号公報
【発明の概要】
【発明が解決しようとする課題】
【０００４】
上記従来のものにおいては、いずれもそれなりの洗浄力を発揮することが認められているものの、近年では、より高い洗浄力を発揮するものが望まれている。
そこで、より高い洗浄力を発揮するパルセータを具えた洗濯機を提供する。
【課題を解決するための手段】
【０００５】
本実施形態の洗濯機は、洗濯槽と、この洗濯槽の内下部に配設したパルセータと、このパルセータを回転駆動する駆動装置とを具備し、前記洗濯槽の内部に洗濯物を洗濯水と共に収容し、前記パルセータを回転駆動することにより、前記洗濯物を洗濯水と共に撹拌して洗濯をするようにしたものにおいて、前記パルセータを、平坦な基盤面を基準として、該基盤面に複数の凹部を周方向に配列して形成し、この凹部の内底面から上方に向けて羽根山を突設して構成したことを特徴とする。
【図面の簡単な説明】
【０００６】
【図１】一実施形態を示すパルセータ単体の平面図
【図２】パルセータ単体の分解斜視図
【図３】図１のIII−IIIに沿うパルセータ単体の縦断面図
【図４】パルセータの１つの羽根山部分の側面図
【図５】パルセータの１つの羽根山部分の斜視図
【図６】洗濯機全体の縦断正面図
【図７】パルセータの作用を示す１つの羽根山部分の縦断面図その１
【図８】パルセータの作用を示す１つの羽根山部分の縦断面図その２
【発明を実施するための形態】
【０００７】
以下、一実施形態につき、図面を参照して説明する。
まず、図６には、洗濯機、特には二槽式洗濯機の全体構成を示しており、基台１上に洗濯槽２と脱水槽３とを並置状態で配設している。洗濯槽２は、プラスチック製で、内下部にパルセータ４を回転可能に配設している。このパルセータ４の詳細については後述する。洗濯槽２の底部には、パルセータ４の下方に位置する部分に排水口５を形成しており、この排水口５は、図示しない排水弁を介して、機外に臨む排水ホースに連なっている。
【０００８】
洗濯槽２の外下面部にはギヤ機構６を設けており、このギヤ機構６の出力軸６ａを、洗濯槽２の底部を水密且つ回転可能に貫通させて洗濯槽２の内下部に突出させ、その突出部分に前記パルセータ４をねじ７により着脱可能に取付けている。ギヤ機構６の入力軸６ｂには従動プーリ８を取付けており、他方、洗濯槽２外下方の、従動プーリ８からやゝ離間した位置には洗濯用モータ９を配設していて、この洗濯用モータ９の回転軸９ａに取付けた駆動プーリ１０と従動プーリ８との間に伝動ベルト１１を掛けている。
【０００９】
この結果、パルセータ４は、洗濯用モータ９により、駆動プーリ１０、伝動ベルト１１、従動プーリ８、及びギヤ機構６を順に介して回転駆動、特には時計回りと反時計回りの正逆両方向に交互に低速回転駆動され、その回転により、洗濯槽２に収容した洗濯物（図６には図示せず）を洗濯水（これも図６には図示せず）と共に撹拌して洗濯をするようになっている。従って、洗濯用モータ９、駆動プーリ１０、伝動ベルト１１、従動プーリ８、及びギヤ機構６は、パルセータを回転駆動する駆動装置Ｋを構成するものである。
【００１０】
一方、脱水槽３の内部には、周側部に多数の脱水孔１２ａを有する脱水かご１２を回転可能に配設しており、この脱水かご１２を回転駆動する脱水用モータ１３と、その回転を制止するブレーキ装置１４とを脱水槽３の外下方に配設している。この結果、脱水かご１２は、脱水用モータ１３により直に回転駆動、中でも一方向に高速回転駆動され、その回転により、脱水かご１２内に収容した洗濯物の脱水をするようになっている。従って、脱水用モータ１３は脱水かご１２を回転駆動する駆動装置として機能するものである。なお、脱水槽３にも、底部には排水口１５を形成しており、この排水口１５を図示しない合流管路で前記排水ホースに連ねている。
【００１１】
このほか、外箱１上には操作パネル１６を設けており、この操作パネル１６には、洗濯用タイマーの操作つまみ１７と、洗濯用の水流強度切換つまみ１８、脱水用タイマーの操作つまみ１９、排水弁の開閉用操作つまみ２０、給水ホース接続口２１を設けている。又、洗濯槽２上には洗濯槽用の蓋２２を着脱可能に設け、脱水槽３上には脱水槽用の蓋２３を開閉可能に軸支して設けている。
【００１２】
ここで、パルセータ４の詳細について述べる。このパルセータ４は、プラスチック製で、図１ないし図３に示すように、平面形が円形であり、基盤面４ａが上面で平坦状を成している。この平坦な基盤面４ａを基準として、該基盤面４ａに複数の凹部４ｂを周方向に均等に配列して形成している。この凹部４ｂはいずれも球面状を成しており、この凹部４ｂの内底面から上方に向けて羽根山４ｃを突設している。この場合、凹部４ｂの内底面は、凹部４ｂが球面状を成すことから、その全体が凹部４ｂの内底面となっている。羽根山４ｃは、その凹部４ｂの内底面からのみ突設したものであり、凹部４ｂの中央部から両端方向の直径ほゞ全長にわたって存在している。
【００１３】
又、羽根山４ｃは、上方より見て放射曲線状を成しており、その放射曲線は、パルセータ４の中央部近傍から外方へ図１では時計回り方向に湾曲するものである。更に、図４に示すように、パルセータ４の回転方向についての羽根山４ｃの両側面部４c１,４c２の傾斜角α，βは、ほゞ同一としている。加えて、図５に示すように、羽根山４ｃの中心側面部４ｃ３の傾斜角γと、同羽根山４ｃの外周側面部４ｃ４の傾斜角θとは、異ならせていて、特には中心側面部の傾斜角γを外周側面部の傾斜角θより大きくしている。
【００１４】
パルセータ４の中央部には、図１ないし図３に示すように、羽根山４ｃと連ならない独立した突起部４ｄを設けている。この突起部４ｄは、この場合、ほゞ半球状を成しており、更に詳細にはパルセータ４とは別体の部品から成っていて、それパルセータ４の中央部に複数の爪４ｄ１で取付けている。又、この突起部４ｄの外面部には、円形状のくぼみ部４ｅを周方向に均等に配列して複数形成している。
このほか、凹部４ｂのそれぞれ羽根山４ｃ両側の最低部分には、水抜き孔４ｆを複数ずつ形成している。又、突起部４ｄの中心部には、前記ねじ７を挿通した孔４ｇを形成していて、この孔４ｇをキャップ４ｈで閉塞している。
【００１５】
このように、上記構成の洗濯機においては、洗濯槽２の内部に洗濯物を洗濯水と共に収容し、この状態で、パルセータ４を回転駆動することにより、洗濯物を洗濯水と共に撹拌して洗濯をするものにおいて、パルセータ４を、平坦な基盤面４ａを基準として、該基盤面４ａに複数の凹部４ｂを周方向に配列して形成し、この凹部４ｂの内底面から上方に向けて羽根山４ｃを突設して構成している。
【００１６】
これにより、パルセータ４の羽根山４ｃの全高さＨ１は、図７に示すように、基点が凹部４ｂの内底面となって増し、高くなる。同図にＷで示す洗濯水は凹部４ｂ内に入るので、パルセータ４が同図の矢印Ｘ，Ｙで示すように回転するとき、洗濯水はその羽根山４ｃの大きな高さ（大きな面積）のまま該羽根山４ｃにより強い撹拌力を受けて撹拌され、強い水流が生成される。この強い水流に乗って洗濯物が動かされ、強力に洗浄されるので、高い洗浄力を得ることができる。
【００１７】
一方、洗濯物がパルセータ４から直接受ける撹拌力について、洗濯水より流動性の低い洗濯物は図８にＳで示すように平坦な基盤面４ａ上をすべり動いて凹部４ｂ内にほとんど入ることなく羽根山４ｃに当たる。従って、該羽根山４ｃと洗濯物との接触はパルセータ４の基盤面４ａからの羽根山４ｃの高さ（面積）Ｈ２に留められ、さほど強い撹拌力を受けることはない。これにより、洗濯槽２内に容量ほぼ一杯の多量の洗濯物を収容していた状況等での、洗濯物によるパルセータ４の回転の拘束（ロック）を避けることができる。なお、洗濯槽２内に少量の洗濯物を収容していた状況では、洗濯物はパルセータ４から離れて浮き、羽根山４ｃから直接の撹拌力を受けることが少ないので、前述の、洗濯水を強く撹拌できることで生成できる強い水流により強力に洗浄される点が有効である。
【００１８】
又、上記構成の洗濯機においては、パルセータ４の羽根山４ｃを凹部４ｂの内底面からのみ突設している。これにより、上述の作用効果を、羽根山４ｃを必要最小限に設けて、効率良く得ることができる。
又、上記構成の洗濯機においては、パルセータ４が正逆両方向に回転されるものであって、パルセータ４の羽根山４ｃの回転方向両側面部４c１,４c２の傾斜角α，βをほゞ同一としている。これにより、パルセータ４の正逆両方向の回転について、同等の撹拌力を得ることができ、洗浄むらの発生をなくすことができる。
【００１９】
又、上記構成の洗濯機においては、パルセータ４の羽根山４ｃの中心側面部４ｃ３の傾斜角γと同羽根山４ｃの外周側面部４ｃ４の傾斜角θとを異ならせている。これにより、その傾斜角の大きい方では洗濯物を外側に行きやすくでき、小さい方では洗濯物を外側に行きにくくできて近辺に留めつつ撹拌洗浄する揉み洗いの効果を得ることができる。
【００２０】
又、上記構成の洗濯機においては、パルセータ４が正逆両方向に回転されるものであって、パルセータ４の羽根山４ｃを、上方より見て放射曲線状を成すように形成している。これにより、その曲線（湾曲）の外側では、それが指向する方向（図１では反時計回りの方向）のパルセータ４の回転により、洗濯物を外側へ押し出す力が生じて、洗濯物の固まりができそうになってもそれを解く作用が生じ、反対に、曲線（湾曲）の内側では、それが指向する方向（図１では時計回りの方向）のパルセータ４の回転により、洗濯物を内側へ寄せ集める力が生じる。そして、これら２つの内外異なる方向の力により、洗濯物は、押し引きされて絡まりを防止できると同時に押し洗いされることにより、撹拌だけでは得られない高い洗浄力を得ることができる。
【００２１】
又、上記構成の洗濯機においては、パルセータ４の中央部に、羽根山４ｃと連ならない独立した突起部４ｄを有している。このうち、パルセータ４の中央部に存在する突起部４ｄは、パルセータ４が回転するときの周速度が小さく、突起部４ｄよりもパルセータ４の外周側に存在する羽根山４ｃは、パルセータ４が回転するときの周速度が大きい。又、突起部４ｄよりもパルセータ４の外周側に存在する羽根山４ｃが、洗濯水及び洗濯物に対する撹拌力を有するのに対して、パルセータ４の中央部に存在する突起部４ｄは、洗濯水及び洗濯物に対する撹拌力をほとんど有さない。これらにより、パルセータ４が回転したときには、洗濯物が突起部４ｄと羽根山４ｃとの間で捩られ、揉み洗いされるので、これによって更に高い洗浄力を得ることができる。
【００２２】
加えて、上記構成の洗濯機においては、パルセータ４の上記突起部４ｄの外面部に、くぼみ部４ｅを有している。これにより、パルセータ４が回転したときには、くぼみ部４ｅの周辺部分で洗濯物をこすり洗いすることができるので、これによっても高い洗浄力を得ることができる。
【００２３】
以上説明した洗濯機は、上記実施形態にのみ限定されるものではなく、特に脱水機能は有していなくても良いし、あるいは洗濯槽と脱水かごとを同心状に有する脱水兼用洗濯機（全自動洗濯機）にも適用できるなど、要旨を逸脱しない範囲内で適宜変更して実施し得る。
【００２４】
そのほか、本発明の実施形態は例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００２５】
図面中、２は洗濯槽、４はパルセータ、４ａは基盤面、４ｂは凹部、４ｃは羽根山、４ｄは突起部、４ｅはくぼみ部、α，βは羽根山の回転方向両側面部の傾斜角、γ，θは羽根山の中心側面部と外周側面部の傾斜角、Ｋは駆動装置を示す。
【図１】
2013202320.tif 000003
【図２】
2013202320.tif 000004
【図３】
2013202320.tif 000005
【図４】
2013202320.tif 000006
【図５】
2013202320.tif 000007
【図６】
2013202320.tif 000008
【図７】
2013202320.tif 000009
【図８】
2013202320.tif 000010